(57)【要約】【課題】装置の簡易化・小型化を保持しつつ、手袋の殺菌をしている作業者のみならず、その周囲の作業者に対しても紫外線が照射されることのない安全な紫外線照射装置を提供する。【解決手段】手に装着された状態の紫外線非透過性の手袋Ｇに対し紫外線を照射して当該手袋の表面を殺菌する紫外線照射装置１０。手袋が挿入される挿入口１３０が開口されている殺菌室筐体１２０と、殺菌室に紫外線を照射する紫外線照射ランプ１２３と、挿入口の開口縁から殺菌室内に向かう方向に延出され、挿入口から殺菌室内に手を案内するとともに、紫外線照射部からの紫外線が、挿入口に手袋を挿入する作業者及びその周囲の作業者の目に直接入らないように遮光するスリーブ状のガイド１４０と、開口縁から漏れる紫外線が作業者及びその周囲の作業者の目に入らないように、挿入口の上方の正面及び側面を覆う半透明の紫外線遮光板１６０，１７０とを備える。【選択図】図２
2020062392.tif 000002
【特許請求の範囲】
【請求項１】
手に装着された状態の紫外線非透過性の手袋に対し紫外線を照射して前記手袋の表面を殺菌する紫外線照射装置であって、
前記紫外線を遮光する遮光性材料で形成され、手に装着された状態の前記手袋が挿入される挿入口が開口され、内部に殺菌室が形成された殺菌室筐体と、
前記殺菌室筐体の内部に配置され、前記殺菌室に紫外線を照射する紫外線照射部と、
前記挿入口の開口縁から前記殺菌室内に向かう方向に延出され、前記挿入口から前記殺菌室内に前記手を案内するとともに、前記紫外線照射部からの紫外線が前記挿入口に前記手袋を挿入する作業者及びその周囲の作業者の目に直接入らないように遮光するスリーブ状のガイドと、
前記開口縁から漏れる紫外線が前記作業者及びその周囲の作業者の目に入らないように、前記挿入口の上方の正面及び側面を覆う半透明の紫外線遮光板とを備えることを特徴とする紫外線照射装置。
【請求項２】
前記殺菌室筐体の上面に、前記手袋を装着した両手の各々が挿入される一対の挿入口が所定距離を介して併設されており、
前記一対の挿入口の上方を覆う上面紫外線遮光板のうち前記一対の挿入口の中間部上方を覆う部分が他の部分よりも張り出して張出部を形成していることを特徴とする請求項１に記載の紫外線照射装置。
【請求項３】
前記挿入口の開口縁から前記殺菌室内に向かう方向に沿った前記ガイドの長さが、３〜２０ｃｍの範囲内にあることを特徴とする請求項１又は請求項２に記載の紫外線照射装置。
【請求項４】
前記紫外線遮光板が、前記挿入口を上方から視認できかつ前記紫外線を遮光できるようにスモーク加工された半透明のアクリル板であることを特徴とする請求項１〜３のいずれかに記載の紫外線照射装置。
【請求項５】
手に装着された状態の紫外線非透過性の手袋に対し紫外線を照射して前記手袋の表面を殺菌する紫外線照射装置であって、
前記紫外線を遮光する遮光性材料で形成され、手に装着された状態の前記手袋が挿入される挿入口が開口され、内部に殺菌室が形成された殺菌室筐体と、
前記殺菌室筐体の内部に配置され、前記殺菌室に紫外線を照射する紫外線照射部と、
前記紫外線照射部に紫外線の照射開始と照射停止との信号を発信する照射判断部と、
前記手袋から人の肌が露出しているか否かを検知する肌露出検知手段と、
前記肌露出検知手段からの肌露出検知信号に基づいて前記照射判断部から前記紫外線照射部への信号を制御する制御部とを備え、
前記制御部は、前記肌露出検知手段が前記殺菌室内に挿入された前記手袋から肌露出検知信号を受信したとき、前記紫外線照射装置の照射を停止する停止信号を発信するように前記照射判断部を制御することを特徴とする紫外線照射装置。
【請求項６】
前記手袋が、前記手の肌と異なる色相又は明度で着色された手袋であって、前記肌露出検知手段が、前記殺菌室内に挿入された前記手袋の画像から、前記手袋と異なる色相又は明度を検知したとき、前記制御部に肌露出検知信号を発信することを特徴とする請求項５に記載の紫外線照射装置。
【請求項７】
前記肌露出検知手段が、前記殺菌室内に挿入された前記手袋から人肌温度の赤外線を検知したとき、前記制御部に肌露出検知信号を発信することを特徴とする請求項５に記載の紫外線照射装置。
【請求項８】
手に装着された状態の紫外線非透過性の手袋に対し紫外線を照射して前記手袋の表面を殺菌する紫外線照射装置であって、
前記紫外線を遮光する遮光性材料で形成され、手に装着された状態の前記手袋が挿入される挿入口が開口され、内部に殺菌室が形成された殺菌室筐体と、
前記殺菌室筐体の内部に配置され、前記殺菌室に紫外線を照射する紫外線照射部とを備え、
前記手袋を前記挿入口から前記殺菌室内に挿入したとき、前記手袋を装着した人の目の高さが前記殺菌室筐体の側面位置となるように、前記殺菌室筐体が位置調整されていることを特徴とする紫外線照射装置。
【請求項９】
前記殺菌室筐体の下面に、両手の各々が挿入される一対の挿入口が所定距離を介して併設されていることを特徴とする請求項８に記載の紫外線照射装置。
【請求項１０】
前記殺菌室筐体が、上下方向に移動可能に設けられていることを特徴とする請求項８又は請求項９に記載の紫外線照射装置。
【発明の詳細な説明】
【技術分野】
【０００１】
本発明は、紫外線照射装置に関する。
【背景技術】
【０００２】
従来、手に装着された状態の紫外線非透過性の手袋に対し紫外線を照射して当該手袋の表面を殺菌する紫外線照射装置が知られている（例えば、特許文献１参照。）。従来の紫外線照射装置によれば、作業者が作業前に手袋を殺菌室内に挿入して当該手袋に紫外線を照射して殺菌を施すことにより、当該手袋に付着した細菌が食品等の製品に付着することを防止することができる。また、従来の紫外線照射装置によれば、紫外線照射ランプと殺菌室との間に複数枚の回動可能のルーバーを設けていることから、ルーバーの傾斜角度を調整することにより、挿入口からの紫外線の漏れを防止しつつ、手に装着した状態の手袋に対して紫外線による殺菌を十分に施すことができる。その結果、従来の紫外線照射装置は、将来、食品業界、医療業界などの業界において広く使用されていくことが期待されている。
【先行技術文献】
【特許文献】
【０００３】
【特許文献１】特許第５０１９６２８号公報
【発明の概要】
【発明が解決しようとする課題】
【０００４】
しかしながら、ルーバーの設置は、その可動手段と制御手段とを必要とし、紫外線照射装置の複雑化・大型化を招き、設置場所が制限される。また、殺菌室に挿入された手袋に対して十分な量の紫外線を照射しつつ、挿入口からの紫外線の漏れを防止できるような、紫外線の誘導路をルーバー間に形成し得るルーバーの角度範囲は狭いことから、手袋の殺菌をしている作業者のみならず、その周囲の作業者に対しても紫外線が照射されないようにすることは容易ではないという問題があった。
【０００５】
そこで、本発明は、上記した問題を解決するためになされたもので、装置の簡易化・小型化を保持しつつ、手袋の殺菌をしている作業者のみならず、その周囲の作業者に対しても紫外線が照射されることのない（又は紫外線が照射されることの極力抑制された）安全な紫外線照射装置を提供することを目的とする。
【課題を解決するための手段】
【０００６】
［１］本発明の紫外線照射装置は、手に装着された状態の紫外線非透過性の手袋に対し紫外線を照射して前記手袋の表面を殺菌する紫外線照射装置であって、前記紫外線を遮光する遮光性材料で形成され、手に装着された状態の前記手袋が挿入される挿入口が開口され、内部に殺菌室が形成された殺菌室筐体と、前記殺菌室筐体の内部に配置され、前記殺菌室に紫外線を照射する紫外線照射部と、前記挿入口の開口縁から前記殺菌室内に向かう方向に延出され、前記挿入口から前記殺菌室内に前記手を案内するとともに、前記紫外線照射部からの紫外線が前記挿入口に前記手袋を挿入する作業者及びその周囲の作業者の目に直接入らないように遮光するスリーブ状のガイドと、前記開口縁から漏れる紫外線が前記作業者及びその周囲の作業者の目に入らないように、前記挿入口の上方の正面及び側面を覆う半透明の紫外線遮光板とを備えることを特徴とする。スリーブ状のガイドとは、筒状のガイトということもできる。
【０００７】
本発明に係る紫外線装置によれば、挿入口の開口縁から殺菌室内に向かう方向に延出されたスリーブ状のガイドにより、挿入口に手袋を挿入する作業者及びその周囲の作業者の目に紫外線照射部からの照射光が直射されることを防止できる。更に、殺菌室の内壁で反射して挿入口から漏出する紫外線は、挿入口の上方の正面及び側面を覆う半透明の紫外線遮光板により遮光できる。このように本発明に係る紫外線装置は、可動可能のルーバーを設けることなく、挿入口に手袋を挿入する作業者及びその周囲の作業者の目を紫外線から保護できるので、装置の簡易化・小型化を保持しつつ、手袋の殺菌をしている作業者のみならず、その周囲の作業者に対しても紫外線が照射されることがなくなるか、極力抑制されるようになる。
【０００８】
［２］本発明に係る紫外線装置においては、前記殺菌室筐体の上面に、前記手袋を装着した両手の各々が挿入される一対の挿入口が所定距離を介して併設されており、前記一対の挿入口の上方を覆う上面紫外線遮光板のうち前記一対の挿入口の中間部上方を覆う部分が他の部分よりも張り出して張出部を形成していることが好ましい。
【０００９】
このような構成とすることにより、手袋の殺菌をしている作業者の目を、挿入口から漏れる紫外線からより一層保護することができる。
【００１０】
［３］本発明に係る紫外線装置においては、前記挿入口の開口縁から前記殺菌室内に向かう方向に沿った前記ガイドの長さが、３〜２０ｃｍの範囲内にあることが好ましい。
【００１１】
このような構成とすることにより、手袋の殺菌をしている作業者及びその周囲の作業者が挿入口から最上部の紫外線照射部を直視することがなくなるため、殺菌室内に挿入された手袋に十分な紫外線を照射しつつ、挿入口から漏れる紫外線を一層少なくできる。
ここで、長さが３ｃｍ未満のガイドでは、最上位置の紫外線照射部からの紫外線が作業者及びその周囲の作業者の目に直接入り易くなる傾向にある。他方、長さが２０ｃｍを超えるガイドでは、殺菌室内の挿入された手袋に照射される紫外線照射部からの紫外線量が低下する傾向にある。また、作業者が手袋を挿入する際の作業性が悪くなる。
【００１２】
［４］本発明に係る紫外線装置においては、前記紫外線遮光板が、前記挿入口を上方から視認できかつ前記紫外線を遮光できるようにスモーク加工された半透明のアクリル板であることが好ましい。
【００１３】
このような構成とすることにより、作業者は、紫外線遮光板により紫外線が遮光された状態で、紫外線遮光板の下方に位置する挿入口等を見ることができる。従って、作業者が手袋を挿入する際の作業性が良くなる。
【００１４】
［５］本発明の紫外線照射装置は、手に装着された状態の紫外線非透過性の手袋に対し紫外線を照射して前記手袋の表面を殺菌する紫外線照射装置であって、前記紫外線を遮光する遮光性材料で形成され、手に装着された状態の前記手袋が挿入される挿入口が開口され、内部に殺菌室が形成された殺菌室筐体と、前記殺菌室筐体の内部に配置され、前記殺菌室に紫外線を照射する紫外線照射部と、前記紫外線照射部に紫外線の照射開始と照射停止との信号を発信する照射判断部と、前記手袋から人の肌が露出しているか否かを検知する肌露出検知手段と、前記肌露出検知手段からの肌露出検知信号に基づいて前記照射判断部から前記紫外線照射部への信号を制御する制御部とを備え、前記制御部は、前記肌露出検知手段が前記殺菌室内に挿入された前記手袋から肌露出検知信号を受信したとき、前記紫外線照射部の照射を停止する停止信号を発信するように前記照射判断部を制御することを特徴とする。
【００１５】
本発明に係る紫外線照射装置は、肌露出検知手段が殺菌室内に挿入された手袋から人の肌が露出していることを検知したとき、紫外線照射部の照射を停止するものであるから、たとえ破れのある手袋を装着していても紫外線が照射されないため、露出している肌の紫外線による損傷を避けることができ、安全である。
【００１６】
［６］本発明に係る紫外線装置においては、前記手袋が、前記手の肌と異なる色相又は明度で着色された手袋であって、前記肌露出検知手段が、前記殺菌室内に挿入された前記手袋の画像から、前記手袋と異なる色相又は明度を検知したとき、前記制御部に肌露出検知信号を発信することが好ましい。
【００１７】
このような構成とすることにより、手袋の破れ等を簡単に検出できる。
【００１８】
［７］本発明に係る紫外線装置においては、前記肌露出検知手段が、前記殺菌室内に挿入された前記手袋から人肌温度の赤外線を検知したとき、前記制御部に肌露出検知信号を発信することが好ましい。
【００１９】
このような構成とすることによっても、手袋の破れ等を簡単に検出できる。
【００２０】
［８］本発明の紫外線照射装置は、手に装着された状態の紫外線非透過性の手袋に対し紫外線を照射して前記手袋の表面を殺菌する紫外線照射装置であって、前記紫外線を遮光する遮光性材料で形成され、手に装着された状態の前記手袋が挿入される挿入口が開口され、内部に殺菌室が形成された殺菌室筐体と、前記殺菌室筐体の内部に配置され、前記殺菌室に紫外線を照射する紫外線照射部とを備え、前記手袋を前記挿入口から前記殺菌室内に挿入したとき、前記手袋を装着した人の目の高さが前記殺菌室筐体の側面位置となるように、前記殺菌室筐体が位置調整されていることを特徴とする。
【００２１】
本発明に係る紫外線照射装置は、紫外線非透過性の材料で形成された殺菌室筐体の下面に設けられた挿入口から殺菌室内に手袋を装着した手が挿入されるから、挿入口に手袋を挿入する作業者及びその周囲の作業者の目は遮光性材料で形成された殺菌室筐体の外側面に位置しており、殺菌室筐体の内部に配置された紫外線照射部からの紫外線が挿入口から漏れたとしても、挿入口に手袋を挿入する作業者及びその周囲の作業者の目に照射されることがない。さらに、本発明の紫外線照射装置は、可動可能のルーバーを設けることなく、挿入口に手を挿入する作業者及びその周囲の作業者の目を紫外線から保護できるので、装置の簡易化・小型化を保持しつつ、手袋の殺菌をしている作業者のみならず、その周囲の作業者に対しても紫外線が照射されることがなくなる。
【００２２】
［９］本発明に係る紫外線装置においては、前記殺菌室筐体の下面に、両手の各々が挿入される一対の挿入口が所定距離を介して併設されていることが好ましい。
【００２３】
このような構成とすることにより、両手に装着した手袋を同時に殺菌できる。
【００２４】
［１０］本発明に係る紫外線装置においては、前記殺菌室筐体が、上下方向に移動可能に設けられていることが好ましい。
【００２５】
このような構成とすることにより、作業者の身長に合わせて殺菌室筐体位置を調整できる。
【図面の簡単な説明】
【００２６】
【図１】実施形態１に係る紫外線照射装置１０を示す斜視図である。
【図２】図１に示す矢印ａ方向から見た紫外線照射装置１０の縦断面図である。
【図３】実施形態１に係る紫外線照射装置１０の制御を説明するためのブロック図である。
【図４】実施形態２に係る紫外線照射装置２０の縦断断面図である。
【図５】実施形態２に係る紫外線照射装置２０の制御を説明するためのブロック図である。
【図６】実施形態３に係る紫外線照射装置３０を示す縦断面図である。
【発明を実施するための形態】
【００２７】
以下、本発明の紫外線照射装置を図に示す実施形態に基づいて詳細に説明する。
【００２８】
［実施形態１］
実施形態１に係る紫外線照射装置１０を図１及び図２に示す。図１は、紫外線照射装置１０の斜視図である。図２は、図１に示す矢印ａ方向から見た縦断面図である。
紫外線照射装置１０は、図１に示すように、本体１００が架台１１０に固着されている。本体１００は、図２に示すように、内部に殺菌室１２１を備えた殺菌室筐体１２０が設けられており、殺菌室筐体１２０の上面に一対の挿入口１３０が所定距離を介して開口されている。この一対の挿入口１３０の各々は、図２に示すように、袖部が手首を覆う長い手袋Ｇを装着した両手の各々が挿入されるものである。手袋Ｇは、紫外線非透過性のものであって、紫外線を遮光する材料、例えばニトリルやラッテクス等のゴム材或いは酸化チタン等の紫外線遮断物質を含有する熱可塑性樹脂から形成される。
【００２９】
挿入口１３０の各々には、その開口縁から殺菌室筐体１２０の内方に延出されたスリーブ状のガイド１４０が装着されており、スリーブ状のガイド１４０の内側にセンサー１５０が設けられている。このセンサー１５０は、手袋Ｇを装着した手首近傍に装着される検出体ＩＤに記載されているバーコード等を検知するものである。また、架台１１０の上部には、一対の挿入口１３０の上方の正面を覆う半透明の上面紫外線遮光板１６０と、一対の挿入口１３０の上方の側面を覆う半透明の側面紫外線遮光板１７０が設けられている。この上面紫外線遮光板１６０のうち一対の挿入口１３０の中間部上方を覆う部分が他の部分よりも張り出して張出部１６０ａを形成しており、手袋の殺菌を施している作業者の目を挿入口１３０から漏洩する紫外線をより一層遮光できる。このような上面紫外線遮光板１６０と本体１００の上面との間に表示部１８０が設けられている。
【００３０】
殺菌室筐体１２０は、金属板等の、紫外線を遮光する遮光性材料で形成されており、図２に示すように、内部に殺菌室１２１が形成されている。この殺菌室１２１は、一対の挿入口１３０の各々から挿入された手袋Ｇを装着した手の形状に倣って、挿入口１３０から内底面の方向に次第に幅狭となるテーパー状に形成されている。このような殺菌室１２１の内側面のうち、挿入された手袋Ｇの甲側及び掌側に対応する内側面側に、紫外線照射部としての複数本の紫外線照射ランプ１２３が設けられている。紫外線照射ランプ１２３は、波長が１８５〜２８０ｎｍの紫外線が発光される水銀ランプであって、殺菌室１２１の上面に対して平行に設置され、殺菌室１２１の略幅全長に亘って架け渡されている。複数本の紫外線照射ランプ１２３は互いに平行である。更に、複数本の紫外線照射ランプ１２３の全体を覆うように、紫外線を透過可能な部材でなる保護シート４が装着されている。保護シート１２４は、紫外線照射ランプ１２３が破損しても、殺菌室１２１内に紫外線照射ランプ１２３の破片が飛び散らないようにするものである。なお、図２においては、図示されていないが、保護シート１２４の表側に保護網を設けるようにしてもよい。殺菌室筐体１２０の内側面及び底面の全面には、反射板１２２としての皺加工されたアルミニウム箔が貼付されており、紫外線照射ランプ１２３から殺菌室１２１の内側面及び底面の方向に照射された紫外線を反射しつつ散乱している。
【００３１】
このような殺菌室１２１の上面に開口された一対の挿入口１３０の上方の正面を覆う上面紫外線遮光板１６０と、一対の挿入口１３０の上方の側面を覆う側面紫外線遮光板１７０とは、挿入口１３０や表示部１８０を上方から視認できかつ紫外線を遮光できるようにスモーク加工された半透明のアクリル板を用いることができる。
【００３２】
挿入口１３０の各開口縁から殺菌室筐体１２０の内方に延出されたスリーブ状のガイド１４０の長さは、挿入口１３０の開口縁から最上位置の紫外線照射ランプ１２３からの紫外線が、挿入口１３０に手袋を挿入する作業者及びその周囲の作業者の目に直接入らない長さである。具体的には、ガイド１４０の長さは３〜２０ｃｍの範囲内とすることが好ましい。長さが３ｃｍ未満のガイド１４０では、最上位置の紫外線照射ランプ１２３からの紫外線が作業者及びその周囲の作業者の目に直接入り易くなる傾向にある。他方、長さが２０ｃｍを超えるガイド１４０では、殺菌室１２１内に挿入された手袋Ｇに照射される紫外線照射ランプ１２３からの紫外線量が低下する傾向にある。また、作業者が手袋を挿入する際の作業性が悪くなる傾向にある。
【００３３】
図３は、実施形態１に係る紫外線照射装置１０の制御を説明するブロック図である。制御部２６０は、中央演算処理部（ＣＰＵ）であって、紫外線照射装置１０で手袋Ｇの殺菌を施す作業者一覧が記憶されている作業者識別部２１０、紫外線照射ランプ１２３に紫外線照射の開始・停止の信号を発信する照射判断部１２５、殺菌室１２１での手袋Ｇの殺菌状態を判定する殺菌状態判定部２２０、作業者名や殺菌状態を表示する表示部１８０、紫外線照射ランプ１２３を点灯して紫外線を手袋Ｇに照射する時間（紫外線照射時間）を計測するタイマー２４０、離れた場所に置かれているパソコン等と殺菌状態等に関して通信する通信部２５０及び作業者の手袋Ｇの殺菌履歴等を記憶する記憶部２３０と接続されており、種々の信号が送受信されている。
【００３４】
挿入口１３０のガイド１４０のセンサー１５０で読み取った手袋Ｇの検出体ＩＤの記載事項のデータは制御部２６０に送信され、作業者識別部２１０に記憶された作業者一覧と照合し、紫外線照射装置１０で殺菌を受けることを要する作業者であるか否か識別する。殺菌を受けることを要する作業者である場合、制御部２６０は表示部１８０に作業者名を表示するとともに、照射判断部１２５に紫外線照射ランプ１２３からの照射開始信号を発信するように制御する。紫外線照射ランプ１２３から紫外線が照射開始されたとき、制御部２６０はタイマー２４０をスタートして紫外線照射時間の計測を開始する。その際に、殺菌状態判定部２２０は紫外線照射ランプ１２３からの紫外線の強さや安定性の監視を開始する。制御部２６０は、タイマー２４０での計測時間が予め設定されていた時間（紫外線照射時間）に達し、かつ、当該紫外線照射時間内での紫外線照射ランプ１２３からの紫外線の強さや安定性から手袋Ｇが十分に殺菌されたと判定したときは、照射判断部１２５から紫外線照射ランプ１２３に照射停止信号を発信するように制御する。紫外線照射ランプ１２３からの紫外線の照射が停止されたとき、制御部２６０は表示部１８０に殺菌終了を表示するとともに、殺菌状態等のデータを通信部２５０から上記したパソコン等に送信する。
【００３５】
ところで、紫外線照射ランプ１２３の停止時間が長い場合には、再点灯した紫外線照射ランプ１２３から照射される紫外線の強さや周波数等が不安定な状態となることがある。このような場合は、制御部２６０は殺菌状態判定部２２０からの信号で予め設定した紫外線照射時間を所定時間延長することにより、手袋Ｇに十分な殺菌を施すことができる。
【００３６】
このように、実施形態１に係る紫外線照射装置１０によれば、挿入口１３０の各開口縁から殺菌室筐体１２０の内方に延出されたスリーブ状のガイド１４０によって、挿入口１３０に手袋を挿入する作業者及びその周囲の作業者の目に紫外線照射ランプ１２３からの紫外線が直接入らないように遮光している。また、上面紫外線遮光板１６０と側面紫外線遮光板１７０とは、挿入口１３０から漏れてくる紫外線を、作業者及びその周囲の作業者の目に入らないように遮光して安全を図っている。また、実施形態１に係る紫外線照射装置１０によれば、スリーブ状のガイド１４０、上面紫外線遮光板１６０及び側面紫外線遮光板１７０により、作業者及びその周囲の作業者の目を紫外線から保護できることから、ルーバー等を設けることを要せず、簡易な構造とすることができ小型化を図ることができる。
【００３７】
［実施形態２］
実施形態１に係る紫外線照射装置１０においては、作業者が手袋Ｇに破れのあることを知らずに手袋Ｇを着用していた場合、破れ目から露出している手の肌に紫外線が直接照射されるおそれがある。これに対して、外線照射装置２０によれば、破れのある手袋Ｇが紫外線照射装置１０の挿入口１３０に挿入されたときてあっても、そのような手袋Ｇへの紫外線の照射を防止できる。
【００３８】
図４は、実施形態２に係る紫外線照射装置２０の縦断面図である。図４中、図１及び図２中に示す部材と同一の部材は、同一符号を付与して詳細な説明を省略する。実施形態２に係る紫外線照射装置２０においては、図４い示すように、挿入口１３０に設けられているガイド１４０の位置に、センサー１５０と肌露出検知手段を構成する人肌露出センサーとしての一対の赤外線センサー１５２（以下、単に赤外線センサー１５２という）とが設けられている。赤外線センサー１５２の各々は、挿入口１３０に挿入される手袋Ｇの掌側と甲側とに対応している。赤外線センサー１５２は、挿入口１３０に挿入される手袋Ｇから放出される赤外線のうち、人肌温度の物体から放出される波長の赤外線を検出するものである。
【００３９】
また、殺菌室１２１の内側面に肌露出検知手段を構成する人肌露出センサーとしての一対のＣＣＤカメラ１５４（以下、単にＣＣＤカメラ１５４という）が設けられている。ＣＣＤカメラ１５４の各々は、殺菌室１２１内に挿入された手袋Ｇの掌側と甲側とに対応している。一般に手袋Ｇは、人肌と異なる色相又は明度のものが使用されていることから、ＣＣＤカメラ１５４の各々は、殺菌室１２１内に挿入された手袋Ｇの画僧を撮影し、手袋Ｇの色相又は明度と異なる色相又は明度の人肌を検知するものである。手袋Ｇの色相と異なる色相又は明度の人肌を検知する方法としては、例えば二値化処置方法を挙げることができる。二値化処理方法では、例えばＣＣＤカメラ１５４で手袋Ｇを濃淡撮影し、手袋Ｇの明度を閾値とし、この閾値よりも明るい箇所が手袋Ｇ内に存在すれば、破れ目から人肌が露出しているとする。
【００４０】
図５は、実施形態２に係る紫外線照射装置２０の制御を説明するためのブロック図である。図５のブロック図について、図３に示すブロック図と同一ブロックは、同一符号を付与して詳細な説明を省略する。実施形態２に係る紫外線照射装置２０においては、図５に示すように、赤外線センサー１５２とＣＣＤカメラ１５４との少なくとも一方の人肌露出センサーから肌露出検知信号を受信した制御部２６０は、照射判断部１２５に紫外線照射ランプ１２３の光照射を停止する停止信号を発信するように制御するとともに、表示部１８０に手袋Ｇに破れが存在することを表示させる。
なお、この「停止信号」には、紫外線照射ランプ１２３が発光していない状態を維持することも含まれる。
【００４１】
実施形態２に係る紫外線照射装置２０によれば、スリーブ状のガイド１４０、上面紫外線遮光板１６０及び側面紫外線遮光板１７０により、作業者及びその周囲の作業者の目を紫外線から保護できることから、ルーバー等を設けることを要せず、簡易な構造とすることができ小型化できるとともに、たとえ破れのある手袋Ｇを装着した手を挿入口１３０に挿入しても、紫外線が照射されることがなく高い安全性を確保できる。
なお、実施形態２に係る紫外線照射装置２０には、スリーブ状のガイド１４０、上面紫外線遮光板１６０及び側面紫外線遮光板１７０が設けられているが、これらを省略することも可能である。そのようにしても、破れのある手袋Ｇを装着した手を挿入口１３０に挿入しても、紫外線が照射されることがなく安全性を確保できる。
【００４２】
［実施形態３］
実施形態１に係る紫外線照射装置１０及び実施形態２に係る紫外線照射装置２０は、作業者及びその周囲の作業者の目を紫外線から保護すべく、ガイド１４０、上面紫外線遮光板１６０及び側面紫外線遮光板１７０を設けている、実施形態３に係る紫外線照射装置３０は、実施形態１に係る紫外線照射装置１０及び実施形態２に係る紫外線照射装置２０の場合とは異なる手段により、紫外線から作業者を保護する。
【００４３】
図６は、実施形態３に係る紫外線照射装置３０を示す縦断面図である。図６中、図１、図２及び図４に示す部材と同一の部材は、同一符号を付与して詳細な説明を省略する。実施形態３に係る紫外線照射装置３０においては、（建物の柱１１５に固定された）本体１００を構成する殺菌室筐体１２０は、紫外線を遮光する遮光性材料である金属板等で形成されており、その下面に挿入口１３０が開口されている。挿入口１３０には、図６に示すように、手袋Ｇが下方から上方に向かって挿入されて殺菌室１２１内に至る。この紫外線照射装置３０では、図６に示すように、手袋Ｇが殺菌室１２１内に挿入されたとき、手袋Ｇを殺菌する作業者の顔は、紫外線が漏れ出ることのない殺菌室筐体１２０の側方に位置することから、手袋Ｇを装着した作業者の目を紫外線から完全に保護できる。
【００４４】
また、挿入口１３０からは、手袋Ｇを殺菌する作業者及びその周囲の作業者の足元側の方向に紫外線が漏出するものの、作業者の足元側はズボン等で覆われており、漏出した紫外線による作業者に対する影響は問題とならない。このため、実施形態１，２に係る紫外線照射装置１０，２０においては、作業者及びその周囲の作業者の目を紫外線から保護すべく設けていた、上面紫外線遮光板１６０及び側面紫外線遮光板１７０を、実施形態３に係る紫外線照射装置３０においては不要にできる。また、スリーブ状のガイド１４０を除去してもよい。また、図６に示す紫外線照射装置３０においえは、本体１００が柱１１５に固着されていてもよいが、本体１００を柱１１５に沿って上下動可能としてもよい。このようにすれば、手袋Ｇを殺菌する作業者の身長に合わせて本体１００の位置を、手袋Ｇの殺菌を楽な姿勢で行うことができ、かつ、作業者の目の位置に殺菌室筐体１２０の側方が位置するように簡単に調整できる。
【００４５】
上記した各実施形態においては、紫外線照射部として水銀ランプを用いたが、紫外線ＬＥＤを用いてもよい。また、上記した各実施形態においては、手袋を装着した両手の各々を同時に殺菌室１２１内に挿入できるように一対の挿入口１３０を設けたが、挿入口１３０を１個として、手袋を装着した両手を片方づつ交互に殺菌室１２１内に挿入してもよい。或いは、１個の挿入口１３０から手袋を装着した両手を揃えて殺菌室１２１内にできるように、挿入口１３０の開口径を拡大してもよい。
【産業上の利用可能性】
【００４６】
本発明に係る紫外線照射装置によれば、食品、薬品等の現場作業者が装着した手袋を簡便に且つ安全に殺菌できる。
【符号の説明】
【００４７】
１０，２０，３０・・・紫外線照射装置、１００・・・本体、１１０・・・  架台、１１５・・・柱、１２０・・・殺菌室筐体、１２１・・・殺菌室、１２２・・・反射板、１２３・・・紫外線照射ランプ、１２４・・・保護シート、１２５・・・照射判断部、１３０・・・挿入口、１４０・・・スリーブ状のガイド、１５０・・・センサー、１５２・・・  赤外線センサー、１５４，２１１・・・ＣＣＤ  カメラ、１６０・・・上面紫外線遮光板、１６０ａ・・・張出部、１７０・・・  側面紫外線遮光板、１８０・・・表示部、２１０・・・作業者識別部、２２０・・・殺菌状態判定部、２３０・・・記憶部、２４０・・・タイマー、２５０・・・通信部、２６０・・・制御部、ａ・・・矢印、ＡＣ・・・アームカバー、Ｇ・・・手袋、ＩＤ・・・検出体
【図１】
2020062392.tif 000003
【図２】
2020062392.tif 000004
【図３】
2020062392.tif 000005
【図４】
2020062392.tif 000006
【図５】
2020062392.tif 000007
【図６】
2020062392.tif 000008
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
手に装着された状態の紫外線非透過性の手袋に対し紫外線を照射して前記手袋の表面を殺菌する紫外線照射装置であって、
前記紫外線を遮光する遮光性材料で形成され、手に装着された状態の前記手袋が挿入される挿入口が開口され、内部に殺菌室が形成された殺菌室筐体と、
前記殺菌室筐体の内部に配置され、前記殺菌室に紫外線を照射する紫外線照射部とを備え、
前記手袋を前記挿入口から前記殺菌室内に挿入したとき、前記手袋を装着した人の目の高さが前記殺菌室筐体の側面位置となるように、前記殺菌室筐体が位置調整されていることを特徴とする紫外線照射装置。
【請求項２】
前記殺菌室筐体の下面に、両手の各々が挿入される一対の挿入口が所定距離を介して併設されていることを特徴とする請求項１に記載の紫外線照射装置。
【請求項３】
前記殺菌室筐体が、上下方向に移動可能に設けられていることを特徴とする請求項１又は請求項２に記載の紫外線照射装置